(57)【特許請求の範囲】
【請求項１】
光を出力する光源部と、
この光源部を視認側から被覆する被覆部材と、
この被覆部材の上部に設けられ、所定の文字、数字、図形、記号のうち少なくとも一つから成る時字部と、
この時字部の上面に設けられ、光に反応して有色発光する発光部と、
前記被覆部材の前記光源部に対応する部分の周囲に設けられ、前記光源部からの光の出力される方向に向かって拡開した光透過部と、
前記光源部から出力された光が入射すると、この入射した光を前記視認側に反射させる第１の光反射部と、
前記光源部及び前記第１の光反射部よりも前記視認側に配置された反射部であり、前記第１の光反射部によって反射された光が入射すると、この入射した光を前記視認側とは反対側に反射させ、前記発光部に向けて照射する第２の光反射部と、
を備え、
前記光源部は６字を示す前記時字部の下方に配置されていることを特徴とする発光表示装置。
【請求項２】
前記被覆部材は、内周面を有し前記光源部の前記視認側を覆う枠状部材であり、
前記第１の光反射部は、前記枠状部材の前記内周面の所定個所又は前記枠状部材の前記内周面の全域に亘って設けられていることを特徴とする請求項１に記載の発光表示装置。
【請求項３】
前記枠状部材の前記内周面の所定個所又は前記枠状部材の前記内周面の全域には、前記視認側に向けて拡開する傾斜面が形成されており、
前記第１の光反射部は、前記枠状部材に形成されている前記傾斜面上に配置されていることを特徴とする請求項２に記載の発光表示装置。
【請求項４】
前記光源部は、紫外線発光素子、可視光線発光素子及び赤外線発光素子のうちの少なく
とも一つであることを特徴とする請求項１から請求項３のいずれか一項に記載の発光表示
装置。
【請求項５】
請求項１から請求項４のいずれか一項に記載の発光表示装置と、
この発光表示装置を収納する本体ケースと、
を備えていることを特徴とする電子機器。
【請求項６】
請求項１から請求項４のいずれか一項に記載の発光表示装置と、
この発光表示装置を収納する本体ケースと、
この本体ケース内に配置され、前記発光表示装置における第２の反射部からの光が照射される文字板と、
を備えていることを特徴とする電子機器。
【発明の詳細な説明】
【技術分野】
【０００１】
本発明は、発光表示装置及びこれを適用した電子機器に関するものである。
【背景技術】
【０００２】
従来、腕時計等の電子機器において、例えば文字板や指針等の部品に夜光塗料等の蓄光塗料を印刷その他の手法により部分的に塗布して蓄光部を形成し、これにより明るい所で蓄光部が外部光を受けてエネルギーを蓄え、暗い所で蓄光部が蓄えたエネルギーにより発光するように構成したものがある。
【０００３】
しかし、このような腕時計等の電子機器では、蓄光部を発光させるためには予め外部光に当ててエネルギーを蓄える必要があり、外部光が弱かった場合等には十分な発光輝度を得ることができなかった。
また、このような構成では、予め外部光に当てておくことにより暗い所で蓄光部が発光して時刻等を知ることはできるが、使用者が所望するときに蓄光部を自由に発光させることはできない。
さらに、単に蓄光部が発光するだけであるため、十分な装飾効果を得ることはできないという問題があった。
【０００４】
そこで、文字板（表示部）と風防部材（カバーガラス）との間に光源部を設けるとともに、風防部材の裏面に高屈折率の被膜を形成し、光源部から照射された光をこの被膜で反射させて文字板上に照射する構成が提案されている（例えば、特許文献１参照）。
このような構成とすれば、文字板等を任意の光で照らすことができ、文字板上の時字等に光に反応する発光層を設けておけば、光源部が点灯した際に発光層を発光させ、時字等を浮かび上がらせることができる。
【先行技術文献】
【特許文献】
【０００５】
【特許文献１】実開昭５５−１８１７９号公報
【発明の概要】
【発明が解決しようとする課題】
【０００６】
しかしながら、特許文献１に記載の構成では、光源部から照射された光を風防部材の裏面に形成された被膜で反射させて文字板上に照射するため、風防部材と光源部との間に被覆部材を配置することができない。このため、光源部が視認側から見えてしまい、光源部の非点灯時における意匠を損ねてしまう。
また、できるだけ視認側から見た際の外観を損なわないようにするために、光源部の配置の自由度が制限されてしまうという問題もあった。
【０００７】
本発明は以上のような事情に鑑みてなされたものであり、視認側から見た際の外観を損なうことなく光源部を配置するとともに、光源部から出力された光により広く発光部を照明することのできる発光表示装置及びこれを適用した電子機器を提供することを目的とするものである。
【課題を解決するための手段】
【０００８】
前記課題を解決するために、本発明に係る発光表示装置は、
光を出力する光源部と、
この光源部を視認側から被覆する被覆部材と、
この被覆部材の上部に設けられ、所定の文字、数字、図形、記号のうち少なくとも一つから成る時字部と、
この時字部の上面に設けられ、光に反応して有色発光する発光部と、
前記被覆部材の前記光源部に対応する部分の周囲に設けられ、前記光源部からの光の出力される方向に向かって拡開した光透過部と、
前記光源部から出力された光が入射すると、この入射した光を前記視認側に反射させる第１の光反射部と、
前記光源部及び前記第１の光反射部よりも前記視認側に配置された反射部であり、前記第１の光反射部によって反射された光が入射すると、この入射した光を前記視認側とは反対側に反射させ、前記発光部に向けて照射する第２の光反射部と、
を備え、
前記光源部は６字を示す前記時字部の下方に配置されていることを特徴としている。
【０００９】
また、本発明に係る電子機器は、
請求項１から請求項６のいずれか一項に記載の発光表示装置と、
この発光表示装置を収納する本体ケースと、
を備えていることを特徴としている。
【発明の効果】
【００１０】
本発明によれば、光源部を視認側から被覆する被覆部材を設けているため、視認側から見た際の外観を損なうことがなく、光源部の配置が制約されない。
そして、第１の光反射部と第２の光反射部とによって、光源部から出力された光を発光部に導くことができるため、被覆部材によって光源部を視認側から見えないように被覆しても、発光部に広く光を照射することができるという効果を奏する。この結果、例えば、電子機器が腕時計である場合に、時字部上に発光部を形成した場合には、照射された光により時字部を外部から明確に視認することができ、時刻を明確に知ることができる。また、例えば、文字板を配置した場合には、この文字板の上面を発光部からの光により照射して、当該文字板の上面を外部から明確に視認することができる。
【図面の簡単な説明】
【００１１】
【図１】第１の実施形態に係る無線通信機器を適用した腕時計の腕時計本体の正面図である。
【図２】図１の腕時計におけるII−II線に沿う要部断面図である。
【図３】図１の腕時計におけるIII−III線に沿う要部断面図である。
【図４】図１に示す見切り部材の斜視図である。
【図５】図１に示す腕時計の６時側周辺を拡大しその一部を切り欠いた要部斜視図である。
【発明を実施するための形態】
【００１２】
以下、図１から図５を参照しつつ、本発明の好適な実施形態について説明する。なお、以下では、本発明に係る発光表示装置を、電子機器としての腕時計に適用した場合について説明するが、本発明を適用可能な実施形態はこれに限定されるものではない。
【００１３】
図１は、本実施形態に係る腕時計の正面図であり、図２は、図１におけるII−II線に沿う要部断面図であり、図３は、図１におけるIII−III線に沿う要部断面図である。なお、図２及び図３において、破線は光源部である紫外線発光素子９（図２等参照、後述）から出力された光の経路を示している。
本実施形態に係る腕時計１００は、電気的な駆動により指針１１（時針１１ａ、分針１１ｂ）を回転させて時刻を表示するものである。
【００１４】
この腕時計１００は、中空の短柱形状に形成された本体ケース１を備えている。本実施形態では、本体ケース１は、ほぼ円筒状に形成されている。
この本体ケース１の上下両端部（図１において上下端部）、つまり時計の１２時方向側端部及び６時方向側端部には、時計バンド（図示せず）が取り付けられるバンド取付部２が形成されている。
【００１５】
また、本体ケース１の外周部には、時刻合わせの指示、光源部である紫外線発光素子９（図２等参照、後述）の点灯等を行うための種々の操作指示が入力される複数の操作ボタン３が設けられている。なお、操作ボタン３の数や配置等は図示例に限定されない。
【００１６】
本体ケース１は、腕時計１００の表面側（視認側、図２及び図３において上側）の開口部と、本体ケース１の裏面側（図２及び図３において下側）の開口部とを有している。そして、本体ケース１の表面側開口部には、透明なガラス等の材料で形成された風防部材４が防水リング４ａを介して表面側開口部を閉塞するように取り付けられている。一方、本体ケース１の裏面側開口部には、裏蓋部材５が防水リング５ａを介して裏面側開口部を閉塞するように取り付けられている。
【００１７】
風防部材４の裏面側（視認側とは反対側、図２及び図３において下側）には、半透過性の反射部である第２の光反射部４１が設けられている。第２の光反射部４１は、後述する紫外線発光素子９（光源部）及び第１の光反射部８４よりも視認側に配置され、第１の光反射部８４によって反射された光が入射すると、この入射した光を拡散させて視認側とは反対側に拡散反射（乱反射）させ、少なくとも発光部８３に向けて照射するものである。
第２の光反射部４１は、例えば風防部材４の裏面側の表面にアルミニウムやクロム等の金属を蒸着することによりほぼ均一な膜厚となるように形成された金属蒸着層である。なお、第２の光反射部４１を形成する材料はここに例示したものに限定されない。また、第２の光反射部４１を形成する手法は蒸着に限定されず、被膜や層を形成するための各種手法を用いることができる。
なお、第２の光反射部４１には第１の光反射部８４によって反射された光のみならず、光源部である紫外線発光素子９から直接入射した光や文字板７等、他の部材により反射された光も入射するようになっており、第２の光反射部４１は、これらの光についても拡散させて視認側とは反対側に拡散反射（乱反射）させるようになっている。また、第２の光反射部４１は発光部８３のみでなく、第１の光反射部８４や文字板７等に対しても光を反射させる。このため、紫外線発光素子９から照射された光は、第２の光反射部４１の下で様々な経路で反射を繰り返し、各発光部８３に広く均一な光を照射することができる。
【００１８】
本体ケース１の内部には、例えば樹脂等によって形成されたハウジング６が設けられている。ハウジング６には、指針１１である時針１１ａ、分針１１ｂを運針させる時計ムーブメント、各種電子部品を実装した回路基板（いずれも図示せず）等が組み込まれている。
【００１９】
ハウジング６の上側（視認側、図２及び図３において上側）には、文字板７が配置されている。
本実施形態において腕時計１００は、指針１１（時針１１ａ、分針１１ｂ）を備えるアナログ式の腕時計である。文字板７のほぼ中央部には、図示しない貫通孔が設けられており、この貫通孔には時計ムーブメントの内部機構側から風防部材４の設けられている側（図２及び図３において上側）に向けて指針１１（時針１１ａ、分針１１ｂ）を支持する軸部材１２が挿通されている。この軸部材１２が時計ムーブメントの駆動により回転すると、軸部材１２に支持された指針１１（時針１１ａ、分針１１ｂ）が文字板７の上方を運針し、後述する時字部８１，８２を指し示すことによって時刻が表示されるように構成されている。
【００２０】
文字板７の上には、環状（リング状）に形成され内周面を有する枠状部材である見切り部材８が本体ケース１の内周面に沿って配置されている。
図４は、見切り部材８の斜視図である。
図４に示すように、本実施形態において、見切り部材８の上側（視認側、図２及び図３において上側）の面には、２時、４時、６時、８時、１０時、１２時に対応したアラビア数字を表す時字（アラビックインデックス）である時字部８１と、棒状の時字（バーインデックス）である時字部８２とが、交互にほぼ等間隔に設けられている。見切り部材８は、１２時を表す時字部８１が腕時計１００の上部（図１において上側）に位置し、６時を表す時字部８１が腕時計１００の下部（図１において下側）に位置するように文字板７の上に配置される。
【００２１】
各時字部８１，８２の上側の面には、それぞれ発光素子から出力される光に反応して有色発光する発光部８３が設けられている。なお、発光部８３が設けられる位置は図示例に限定されない。各時字部８１，８２の上側の面全体に発光部８３が設けられていてもよいし、その一部である所定箇所に設けられていてもよい。また、発光部８３は全ての時字部８１，８２に設けられていなくてもよい。
【００２２】
発光部８３は、例えば紫外線発光素子（ブラックライト）９により出力される光（紫外線）に反応するインクを複数回塗布して層状に構成したものであり、紫外線発光素子（ブラックライト）９の点灯時に、通常光源によって照明された場合とは異なる発光色が浮かび上がるものである。なお、発光部８３は、時字部８１，８２の上側の面に塗り重ねて構成してもよいし、例えば時字部８１，８２の上側の面に凹部を形成してその中にインクを塗布したものであってもよい。
発光部８３の上面は透明なオーバーコート（図示せず）で覆われて保護されていることが好ましい。
【００２３】
これら発光部８３は、例えば、波長が３５０〜４２０ｎｍ、または２５４〜３６５ｎｍの紫外線に反応して有色発光し、紫外線が照射されない通常状態のときに透明な状態を呈するものである。すなわち、発光部８３は、紫外線発光素子９から出力された紫外線等が照射されると、これに反応して有色発光する。
この発光部８３の発光色は、緑（または黄色）、青、赤の３色を基本として、様々な色バリエーションがある。ここで、各発光部８３は、全て同じ発光色のものであってもよいが、例えばアラビックインデックスである時字部８１と、バーインデックスである時字部８２とで各発光部８３の発光色を異なっていてもよい。また、各時字部８１，８２毎にそれぞれ発光色が異なっていてもよい。
【００２４】
また、見切り部材８の内周面の一部であって各時字部８１，８２における内側の面（腕時計１００の中央に向いている面）には、視認側（図２及び図３において上側）に向けて拡開する傾斜面が形成されており、この傾斜面上には、光源部である紫外線発光素子９から出力された光が入射すると、この入射した光を視認側（図２及び図３において上側）に反射させる第１の光反射部８４が配置されている。
第１の光反射部８４は、第２の光反射部４１と同様に、例えば風防部材４の裏面側の表面にアルミニウムやクロム等の金属を蒸着することによりほぼ均一な膜厚となるように形成された金属蒸着層である。なお、第１の光反射部８４を形成する材料はここに例示したものに限定されない。また、第１の光反射部８４を形成する手法は蒸着に限定されず、被膜や層を形成するための各種手法を用いることができる。
なお、本実施形態では、後述するように６時を示す時字部８１の下方に光源部である紫外線発光素子９が配置されるため、６時を示す時字部８１には、傾斜面及び第１の光反射部８４が設けられていないが、６時を示す時字部８１にも傾斜面及び第１の光反射部８４を設けてもよい。第１の光反射部８４は、紫外線発光素子９から出力された光が入射するのみでなく、第２の光反射部４１や他の第１の光反射部８４によって反射した光が入射した際にもこれを視認側に反射させるものであるため、６時を示す時字部８１にも傾斜面及び第１の光反射部８４を設けた場合には、これら他の反射部８４，４１によって反射された光をさらに視認側に反射させることができる。
【００２５】
見切り部材８の一部であって、６時を示す時字部８１の両側部には、光源部である紫外線発光素子９から出力される光を透過させる光透過部としての切り欠き部８５が形成されている。なお、切り欠き部８５は、光源部である紫外線発光素子９に対応する部分の周囲の少なくとも一部に設けられていればよく、切り欠き部８５の形状等は図示例に限定されない。
【００２６】
図５は、腕時計１００の６時側周辺を拡大し６時を示す時字部８１の一部を切り欠いた要部斜視図である。
図２及び図５に示すように、見切り部材８の６時を示す時字部８１が設けられている部分の下方には、光源部である紫外線発光素子９が配置されている。
紫外線発光素子９は、ブラックライトと呼ばれるものであり、例えば波長が２５４〜４２０ｎｍ（ナノメートル）の紫外線、又は波長が３７４〜３８９ｎｍの紫外線、好ましくは３６５ｎｍ付近の紫外線を発光する紫外線灯または紫外線発光ダイオード（ＬＥＤ）等で構成されている。
この紫外線発光素子９は、図示しない電極端子によってハウジング６内の回路基板と電気的に接続されている。
紫外線発光素子９から出力された光（紫外線）は、見切り部材８に設けられている第１の光反射部８４に入射して視認側に反射され、風防部材４に設けられている第２の光反射部４１に入射して拡散され、視認側とは反対側に拡散反射されて、少なくとも発光部８３に向けて照射される。また、光透過部としての切り欠き部８５から上方向に透過した光は直接第２の光反射部４１に入射して拡散され、視認側とは反対側に拡散反射される。これにより、紫外線発光素子９から出力された光が広く拡散し、効率よく均一に各発光部８３に照射される。
【００２７】
なお、本実施形態では、光源部である紫外線発光素子９、発光部８３、被覆部材としての見切り部材８、見切り部材８の傾斜面に設けられた第１の光反射部８４、風防部材４に設けられた第２の光反射部４１を備えて発光表示装置が構成されている。
【００２８】
次に、本実施形態における発光表示装置及び電子機器である腕時計１００の作用について説明する。
【００２９】
光源部である紫外線発光素子９の点灯を行うための操作ボタン３が操作されると、紫外線発光素子９から光（紫外線）が照射され、見切り部材８の傾斜面に設けられている各第１の光反射部８４に入射して視認側に反射される。また、光の一部は、光透過部としての切り欠き部８５から上方向に透過する。
第１の光反射部８４によって視認側に反射された光、又は切り欠き部８５から上方向に透過した光、その他文字板７と風防部材４との間に存する各部材によって視認側に反射された光は、風防部材４に設けられている第２の光反射部４１に入射して拡散され、視認側とは反対側に拡散反射される。
第２の光反射部４１によって反射された光、紫外線発光素子９から出力され切り欠き部８５から上方向に透過した光等は、少なくとも発光部８３に向けて照射され、各発光部８３は、この光に反応して各色に発光する。
また、紫外線発光素子９から出力された光や第１の光反射部８４、第２の光反射部４１等によって反射された光は、第１の光反射部８４、第２の光反射部４１その他の部材に入射して反射を繰り返し、文字板７と風防部材４との間で広く拡散して、効率よく均一に各発光部８３に照射される。
【００３０】
以上のように、本実施形態によれば、光源部である紫外線発光素子９の上方を覆うように被覆部材としての見切り部材８を設けているため、視認側から見た際の外観を損なうことがなく、紫外線発光素子９の配置が制約されない。そして、紫外線発光素子９から出力された光を見切り部材８に設けられた第１の光反射部８４によって視認側に反射させ、この第１の光反射部８４によって反射された光を、風防部材４に設けられた半透過性の第２の反射部４１によって拡散させて視認側とは反対側に拡散反射させ、少なくとも発光部８３に向けて照射する。このため、見切り部材８によって紫外線発光素子９を視認側から被覆しても、第１の光反射部８４と第２の反射部４１とによって紫外線発光素子９からの光を発光部８３に導くことができ、紫外線発光素子９に広く光を照射することができる。
また、紫外線発光素子９から照射された光を第１の光反射部８４及び第２の反射部４１を介して間接的に発光部８３に導くため、紫外線発光素子９が１つである場合でも広く均一な光を各発光部８３に照射することができる。
さらに、第２の反射部４１は、半透過性の反射部であり、入射した光を拡散反射させて発光部８３に照射するものであるため、より広く均一な光を各発光部８３に隈なく照射することができる。
また、被覆部材である見切り部材８における、光源部に対応する部分の周囲、すなわち、本実施形態では、紫外線発光素子９を覆っている６時を示す時字部８１（６時のアラビックインデックス）の両側部分に、紫外線発光素子９から出力される光を透過させる光透過部としての切り欠き部８５が設けられている。このため、紫外線発光素子９から出力された光をこの切り欠き部８５から見切り部材８の上方に透過・拡散させることができ、６時を示す時字部８１及びその近傍に配置された時字部８１，８２の上に設けられている発光部８３や、第２の反射部４１等に、広く光を照射することができる。
また、被覆部材が、内周面を有し光源部である紫外線発光素子９の視認側を覆う見切り部材８（枠状部材）であり、第１の光反射部は、この見切り部材８（枠状部材）の内周面の一部（所定個所）に設けられている。このため、腕時計１００において別途被覆部材を設ける必要がなく、部品点数を増やすことなく光源部の被覆を実現することができる。
また、第１の光反射部８４は、枠状部材である見切り部材８の内周面の一部（所定個所）である時字部８１に設けられた傾斜面上に配置されている。このため、外観的な意匠を損なうことなく、紫外線発光素子９から照射された光を効率よく拡散させることができる。
また、本実施形態では、発光部８３に、時字（アラビックインデックス及びバーインデックス）が形成されているため、時刻表示となる時字部８１を紫外線発光素子９から照射された光によって照明し、各種の色に発色、発光させて、引き立たせ、美しい意匠を表現することができる。
また、本実施形態では、光源部として、紫外線発光素子（ブラックライト）を用いているため、発光部８３を各色に発色、発光させて、引き立たせ、美しい意匠を表現することができる。
【００３１】
なお、以上本発明の実施形態について説明したが、本発明は、かかる実施形態に限定されず、その要旨を逸脱しない範囲で、種々変形が可能であることは言うまでもない。
【００３２】
例えば、本実施形態では、光源部としての紫外線発光素子９が１つ設けられている例を挙げて説明したが、紫外線発光素子９の数は特に限定されない。
また、紫外線発光素子が配置される位置は、腕時計１００の６時側に限定されない。
紫外線発光素子を腕時計１００の６時側以外の位置に配置する場合には、当該紫外線発光素子に対応する部分にも切り欠き部を設けて光が上方に透過できるように構成する。
【００３３】
また、本実施形態においては、光源部として紫外線発光素子９を設ける場合を例として説明したが、光源部は発光部８３を発光させることのできるものであればよく、紫外線発光素子に限定されない。光源部は、例えば可視光線発光素子、赤外線発光素子等でもよい。光源部が可視光線発光素子、赤外線発光素子等である場合には、発光部８３を、光源部から照射されるそれぞれの光に反応して有色発光する材料により形成する。
【００３４】
また、本実施形態においては、発光部８３が見切り部材８に設けられた時字部８１，８２に設けられている場合を例示して説明したが、発光部８３が設けられる位置は時字部８１，８２に限定されない。例えば、文字板７の上や指針１１（時針１１ａ、分針１１ｂ等）の上等の所定の個所に設けられていてもよい。
また、発光部８３は、全ての時字部８１，８２に設けられていなくてもよい。
また、本実施形態では、発光部８３に数字である時字が形成されている場合を例としたが、発光部８３に形成されるものは数字に限定されず、例えばアルファベット等の文字や、各種ロゴマーク等の図形や記号等であってもよい。数字や文字、ロゴマーク等を発光部８３に形成することにより、紫外線発光素子９からの光によりこれらを発光させ、引き立たせることができる。
なお、このように、時字部８１，８２、指針１１、文字板７等、様々な時計部品に発光部８３を設ける場合には、時刻を視認しやすくするために、少なくとも時字部８１，８２、指針１１と、文字板７上の図形とでは発光部８３の発光色が異なるようにすることが好ましい。例えば、文字板７の発光部８３は赤系色で発光し、時字部８１，８２や指針１８の発光部８３は青系色で発光するというように、それぞれ発光色が異なる方が時刻を確認しやすい。また、文字板７のマーク部分の発光部８３、時字部８１，８２の発光部８３、指針１１の発光部８３とで各発光色をそれぞれ異なるようにしてもよい。
【００３５】
また、本実施形態では、被覆部材がリング状（環状）の枠状部材である見切り部材８である場合を例として説明したが、被覆部材の構成はこれに限定されない。
例えば、腕時計等、発光表示装置が適用される電子機器の視認側の面が四角形状である場合には、その外形に沿った形状の見切り部材を枠状部材として備える。
また、被覆部材は光源部を視認側から被覆することができるものであればよく、枠状部材に限定されない。例えば、光源部とその周辺のみを覆う庇部等であってもよい。
【００３６】
また、本実施形態では、第１の光反射部が被覆部材である見切り部材８に設けられている時字部８１，８２に形成された傾斜面に設けられている例を示したが、第１の光反射部は、光源部（本実施形態では紫外線発光素子９）から出力された光が入射した際に、この入射した光を視認側に反射させることができるものであればよく、第１の光反射部を設ける位置等は実施形態に限定されない。例えば、見切り部材８の内周面全域に亘って第１の光反射部が形成されていてもよいし、見切り部材とは別個に第１の光反射部を設けてもよい。
【００３７】
また、本実施形態では、光を透過させる光透過部として、被覆部材である見切り部材８における光源部（本実施形態では紫外線発光素子９）に対応する部分の周囲に切り欠き部８５を設けたが、光透過部は光源部（紫外線発光素子９）から照射された光を被覆部材の上方に透過させるものであればよく、切り欠き部に限定されない。例えば、光透過部としてスリット孔等を設けてもよい。
【００３８】
また、本実施形態では、第２の光反射部が風防部材４の裏面側に蒸着された金属蒸着層である場合を例示したが、第２の光反射部は、発光部（本実施形態では紫外線発光素子９）及び第１の光反射部８４よりも視認側に配置された半透過性の反射部であって、少なくとも第１の光反射部８４によって反射された光が入射すると、この入射した光を拡散させて視認側とは反対側に拡散反射させ、少なくとも発光部（紫外線発光素子９）に向けて照射することができるものであればよく、第２の光反射部を設ける位置等は実施形態に限定されない。
【００３９】
また、本実施形態では、時字が見切り部材８の上面に設けられている時字部８１である場合を例としたが、時字が設けられる位置はこれに限定されない。例えば時字を文字板上に印刷、貼着、蒸着、彫刻等の手段により形成してもよい。
【００４０】
また、本実施形態においては、腕時計１００が指針を備えるアナログ式の腕時計である場合について説明したが、腕時計は、アナログ式に限定されない。例えば、液晶パネル等で構成された液晶表示部を備えるデジタル式の腕時計でもよいし、指針及び液晶表示部の双方を備える腕時計であってもよい。
【００４１】
また、本実施形態では、発光表示装置が適用される電子機器として腕時計を例示したが、発光表示装置が適用される電子機器は腕時計に限定されない。電子機器は、例えば携帯電話機、自動車の計器類など、各種機器であってもよい。
【００４２】
その他、本発明が本実施形態に限定されず、適宜変更可能であることはいうまでもない。
【００４３】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
光を出力する光源部と、
この光源部を視認側から被覆する被覆部材と、
光に反応して有色発光する発光部と、
前記光源部から出力された光が入射すると、この入射した光を前記視認側に反射させる第１の光反射部と、
前記発光部及び前記第１の光反射部よりも前記視認側に配置された半透過性の反射部であり、前記第１の光反射部によって反射された光が入射すると、この入射した光を拡散させて前記視認側とは反対側に拡散反射させ、少なくとも前記発光部に向けて照射する第２の光反射部と、
を備えていることを特徴とする発光表示装置。
＜請求項２＞
前記被覆部材は、前記光源部に対応する部分の周囲の少なくとも一部に前記光源部から出力される光を透過させる光透過部を備えていることを特徴とする請求項１に記載の発光表示装置。
＜請求項３＞
前記被覆部材は、内周面を有し前記光源部の前記視認側を覆う枠状部材であり、
前記第１の光反射部は、前記枠状部材の前記内周面の所定個所又は前記枠状部材の前記内周面の全域に亘って設けられていることを特徴とする請求項１又は請求項２に記載の発光表示装置。
＜請求項４＞
前記枠状部材の前記内周面の所定個所又は前記枠状部材の前記内周面の全域には、前記視認側に向けて拡開する傾斜面が形成されており、
前記第１の光反射部は、前記枠状部材に形成されている前記傾斜面上に配置されていることを特徴とする請求項３に記載の発光表示装置。
＜請求項５＞
前記発光部は、所定の文字、数字、図形、記号のうち少なくとも一つから成る時字部の上面に形成されていることを特徴とする請求項１から請求項４のいずれか一項に記載の発光表示装置。
＜請求項６＞
前記光源部は、紫外線発光素子、可視光線発光素子および赤外線発光素子のうちの少なくとも一つであることを特徴とする請求項１から請求項５のいずれか一項に記載の発光表示装置。
＜請求項７＞
請求項１から請求項６のいずれか一項に記載の発光表示装置と、
この発光表示装置を収納する本体ケースと、
を備えていることを特徴とする電子機器。
＜請求項８＞
請求項１から請求項６のいずれか一項に記載の発光表示装置と、
この発光表示装置を収納する本体ケースと、
この本体ケース内に配置され、前記発光表示装置における第２の反射部からの光が照射される文字板と、
を備えていることを特徴とする電子機器。
【符号の説明】
【００４４】
１      本体ケース
４      風防部材
６      ハウジング
７      文字板
８      見切り部材（被覆部材、枠状部材）
９      紫外線発光素子（光源部）
１１    指針
４１    第２の光反射部
８１    時字
８２    時字
８３    発光部
８４    第１の光反射部
１００  腕時計（電子機器）
【図１】
0005793997.tif 000002
【図２】
0005793997.tif 000003
【図３】
0005793997.tif 000004
【図４】
0005793997.tif 000005
【図５】
0005793997.tif 000006